【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
関心領域内(region of interest)の温度を測定するシステムであって、
器具(instrument)アッセンブリであって、
外部ハウジングであって、第１のハウジング端部から第２のハウジング端部へ第１の長さにわたって延在する内部の有底ボア(internal blind bore)を画定する外部壁部を有し、体積の中の所定の位置へ移動させられるように構成されている、外部ハウジング、および、
エネルギー送達コンポーネントであって、第１のエネルギー送達コンポーネント端部から第２のエネルギー送達コンポーネント端部へ第２の長さにわたって延在し、体積の中の所定の位置へ移動されて、前記外部ハウジングの外側の前記体積の中の関心領域における温熱治療法に影響を与えるエネルギーを送達するように構成され、前記エネルギー送達コンポーネントは前記外部ハウジング内で移動可能である、エネルギー送達コンポーネント、
を含む、器具アッセンブリと、
前記外部ハウジングの外側の前記関心領域内の温度を感知するために前記第１のエネルギー送達コンポーネント端部の近くの前記外部ハウジングの前記外部壁部内に埋め込まれ、前記外部ハウジングの前記外部表面から所定の距離だけ間隔を置かれている第１の温度センサーと、
前記関心領域の中の前記温熱治療法に影響を与えるために、前記エネルギー送達コンポーネントを通してエネルギーを送達するように構成されているエネルギー供給源と、
前記第１のエネルギー送達コンポーネント端部の近くに固定されているトラッキングデバイスと、
プロセッサーであって、
前記第１の温度センサーからの信号に基づいて前記関心領域内の温度プロファイルを決定するため、および
前記関心領域の中の前記器具の位置を決定するため、
の命令を実行するように構成されているプロセッサーと、
を含み、
前記温熱療法は、前記外部ハウジングの外側の前記関心領域内の温度を上昇させるように動作可能である、システム。
【請求項２】
前記関心領域を表すイメージを表示するためのディスプレイと、前記器具アッセンブリの少なくとも一部分の決定された前記位置を表すアイコンと
をさらに含む、請求項１に記載のシステム。
【請求項３】
前記ディスプレイデバイスは、前記測定された温度プロファイルの物理的な温度イメージの表現を含む、前記決定された温度プロファイルを表す温度アイコンを表示するようにさらに構成されている、請求項２に記載のシステム。
【請求項４】
前記第１の温度センサーから間隔を離して配置され、前記外部ハウジングの前記外部壁部内に埋め込まれている第２の温度センサーであって、前記第２の温度センサーは、前記外部ハウジングの前記外部表面における温度を感知するように構成されている、第２の温度センサーをさらに含み、
前記第１の温度センサーが、間接温度センサーであり、前記第２の温度センサーが、直接温度センサーである、
請求項１から３のいずれか一項に記載のシステム。
【請求項５】
前記第１の温度センサーは、超音波温度センサーを含む、請求項１から４のいずれか一項に記載のシステム。
【請求項６】
前記プロセッサーは、前記温度プロファイルが選択された温度に到達すると、エネルギーの送達を停止させる命令を実行するようにさらに構成されている、請求項１から５のいずれか一項に記載のシステム。
【請求項７】
関心領域内の温度を測定するシステムであって、
器具であって、第１の端部から第２の端部へ所定の長さにわたって延在し、体積の中の所定の位置へ移動されて、前記体積の中の関心領域に温熱治療法を提供するレーザー光を送達するように構成された、器具と、
前記関心領域内の温度を感知するために、前記第１の端部の近傍の前記器具のハウジング内に埋め込まれた温度センサーと、
前記関心領域の中の前記温熱治療法に影響を与えるために、前記器具を通してエネルギーを送達するように構成されているエネルギー供給源と
を含み、
前記温熱治療法は、前記関心領域内の温度を上昇させるように動作可能である、システム。
【請求項８】
前記温度センサーは、前記第１の端部における遠位終端端部から所定の距離にある位置において、前記器具に接続されている、請求項７または８に記載のシステム。
【請求項９】
前記温度センサーは、複数の温度センサーを含む、請求項７に記載のシステム。
【請求項１０】
前記複数の温度センサーは、前記器具の前記長さの少なくとも一部分に沿って間隔を置いて配置されている、請求項９に記載のシステム。
【請求項１１】
前記複数の温度センサーのうちの少なくともいくつかのそれぞれの温度センサーは、前記器具の前記表面において前記関心領域の前記温度を測定するように構成されている直接温度センサーである、請求項１０に記載のシステム。
【請求項１２】
前記複数の温度センサーのうちの少なくともいくつかのそれぞれの温度センサーは、前記器具の前記表面から所定の距離だけ離れた位置において、前記関心領域の前記温度を測定するように構成されている間接温度センサーである、請求項１０に記載のシステム。
【請求項１３】
前記複数の温度センサーからの前記感知された温度に少なくとも基づいて、前記関心領域の中の前記器具の周りの温度プロファイルを決定する命令を実行するように構成されているプロセッサー
をさらに含む、請求項９から１２のいずれか一項に記載のシステム。
【請求項１４】
前記器具の前記第１の端部の近くに接続されているコイルを有するトラッキングデバイスと、
前記トラッキングデバイスの位置を決定するように構成されているナビゲーションプロセッサーと、
前記器具の前記決定された位置を表すアイコンが重ね合わせられた前記関心領域を表すイメージを表示するように構成されているディスプレイデバイスと
をさらに含む、請求項７から１３のいずれか一項に記載のシステム。
【請求項１５】
レーザ光エネルギーがエネルギー送達コンポーネントの放出部分を通過することによって加熱される関心領域内の温度を測定する方法であって、
前記放出部分の近くに前記エネルギー送達コンポーネントに対して接続されている温度センサーからの信号によって、前記関心領域内の温度を決定するステップと、
前記温度センサーからの前記信号を評価することによって、前記関心領域内の選択された温度が実現されるときを決定するステップと、
前記選択された温度が実現されていると決定されるときに、前記関心領域の前記加熱をいつ休止させるかを決定するステップと
を含む、方法。
【請求項１６】
前記関心領域に対する前記エネルギー送達コンポーネントの移動の間に、前記エネルギー送達コンポーネントをトラッキングするステップ
をさらに含む、請求項１５に記載の方法。
【請求項１７】
前記エネルギー送達コンポーネントの前記トラッキングに基づいて、前記エネルギー送達コンポーネントの位置を表すアイコンを表示するステップ
をさらに含む、請求項１６に記載の方法。
【請求項１８】
前記エネルギー送達コンポーネントから所定の距離における温度を感知するために前記温度センサーを間接温度センサーとして動作させるステップ
をさらに含む、請求項１５から１７のいずれか一項に記載の方法。
【請求項１９】
前記エネルギー送達コンポーネントに対する温度プロファイルを決定するためにプロセッサーを動作させるステップ
をさらに含む、請求項１５から１８のいずれか一項に記載の方法。
【請求項２０】
前記決定された温度プロファイルを表す温度アイコンの表示を見るステップ
をさらに含む、請求項１９に記載の方法。